(57)【要約】【課題】ラインヘッドの副走査方向への移動を安定して行なわせることができるラインヘッド駆動部を備えたプリンタを提供すること。【解決手段】リードスクリュー１６１ａにヘッドキー１６１を弾性的に押接する。このヘッドキー１６１側に第２のガイドシャフト１６１２ａを設ける。このヘッドキー１６１近傍に設けられた第２のシャフト１６１２ａにより、ヘッドキー１６１の脈動を防止する。【選択図】  図７
2005014564.tif 000002
【特許請求の範囲】
【請求項１】
記録媒体が装填される媒体装填室を有し、該媒体装填室に装填された記録媒体に画像データに応じた画像を記録し、画像が記録された記録媒体を外部に送り出すプリンタにおいて、
前記媒体装填室に装填された記録媒体上に向き合う位置に配備されて所定の主走査方向に延び、該主走査方向に交わる副走査方向への駆動を受けながら記録媒体に画像データに応じた画像を記録するラインヘッドと、
前記ラインヘッドを副走査方向に駆動させるラインヘッド駆動装置とを具備し、
前記ラインヘッド駆動装置が、
前記ラインヘッドの一端側に配備された副走査方向に延びるリードスクリューと、
前記リードスクリューを回転させるモータと、
前記ラインヘッドの、前記リードスクリューが配設された側の端部に固定され、前記リードスクリューに弾性的に押接して該リードスクリューの駆動力を該ラインヘッドに伝送するヘッドキーと、
前記ラインヘッドを間に挟んだ、前記リードスクリューとは反対側に配設されて前記副走査方向に延び、前記リードスクリューによる駆動を受けて移動するラインヘッドを案内する第１のガイドシャフトと、
前記ラインヘッドに対し、前記リードスクリューが配設された側と同一の側に配設され、該リードスクリューによる駆動を受けて移動するラインヘッドを案内する第２のガイドシャフトとを備えたものであることを特徴とするプリンタ。
【請求項２】
前記媒体装填室に装填された記録媒体に対し、前記リードスクリューと前記第１のガイドシャフトは相互にほぼ同一の高さで該記録媒体に近い位置に配設されるとともに、前記第２のガイドシャフトは前記第１のガイドシャフトと相互に異なる高さ位置に配設され該リードスクリューに対し該記録媒体より離れて配設されたものであることを特徴とする請求項１記載のプリンタ。
【請求項３】
前記ヘッドキーは、前記リードスクリューに対する樹脂製のネジ部と、該ネジ部に一体的に形成された該ネジ部を支えるとともに該ネジ部を弾性的に該リードスクリューに押接する金属製の板バネとを備えたものであることを特徴とし、
前記ネジ部は、前記リードスクリューとの螺合部がリードスクリューの溝の両面に接触する形状のものであることを特徴とする請求項１記載のプリンタ。
【請求項４】
前記媒体装填室に装填された記録媒体は、インスタントフィルムであることを特徴とする請求項１記載のプリンタ。
【発明の詳細な説明】
【０００１】
【発明の属する技術分野】
本発明は、記録媒体が装填される媒体装填室を有し、その媒体装填室に装填された記録媒体に画像データに応じた画像を記録し、画像が記録された記録媒体を外部に送り出すプリンタに関する。
【０００２】
【従来の技術】
画像データに基づいて被写体像を記録媒体上に記録するプリンタがある。このようなプリンタには、ラインヘッドが配備され、このラインヘッドをラインヘッドの主走査方向と交わる副走査方向に移動させることによって記録媒体に記録が行なわれる。このようなラインヘッドの主走査方向の各位置での露光量の差が生じると、濃度にむらがでるので、これを抑制する技術が開示されている（例えば特許文献１参照）。
【０００３】
また、このラインヘッドを副走査方向に移動させる機構として代表的なものにリードスクリューを用いたものがある。このリードスクリューを用いて副走査方向にラインヘッドを移動させる場合には、ラインヘッドを挟んでリードスクリューとは反対の側にガイドシャフトや案内レールを設けることが多い。このようにするとラインヘッドの上下方向の姿勢が一定に保たれるが、ラインヘッド自体がリードスクリューを中心にフリコ運動をするため、画像全体に濃度むらが発生する。ガイドシャフト側の規制を強くすれば、このフリコ運動は軽減されるが、摺動抵抗が大きくなり、ついには動かなくなる可能性が高い。
【０００４】
ところでラインヘッドのキャリッジにバネが固着され、そのバネによってリードスクリューと弾性的に係合させることによって寸法精度を緩和させ、応答の良い駆動力伝達部を構成したものが発案されている（例えば特許文献２参照）。この特許文献２のものでは、リードスクリューとラインヘッドを弾性的に係合させ、さらに超音波モータを利用してキャリッジの停止位置の精度を向上させている。
【０００５】
しかし、リードスクリューに係合されるラインヘッド側のヘッドキーの先端形状により、下記のことが懸念される。
【０００６】
ヘッドキーの形状がリードスクリューの溝より小さい場合（特許文献２に記載ものの場合）、ヘッドキーはリードスクリューの溝に緩く螺合されるためバックラッシを大きく有することとなり、ラインヘッド移動中に、外的に負荷が加えられるとヘッドキーがリードスクリューの溝から逃げることによりラインヘッドに変動が生ずる。
【０００７】
【特許文献１】
特開２０００−２８０５２７号公報
【特許文献２】
特開平１１−２４２８６１号公報
【０００８】
【発明が解決しようとする課題】
本発明は、上記事情に鑑み、ラインヘッドの副走査方向への移動を安定して行なわせることができるラインヘッド駆動部を備えたプリンタを提供することを目的とする。
【０００９】
【課題を解決するための手段】
上記目的を達成する本発明のプリンタは、記録媒体が装填される媒体装填室を有し、その媒体装填室に装填された記録媒体に画像データに応じた画像を記録し、画像が記録された記録媒体を外部に送り出すプリンタにおいて、
上記媒体装填室に装填されたき記録媒体上に向き合う位置に配備されて所定の主走査方向に延び、その主走査方向に交わる副走査方向への駆動を受けながら記録媒体に画像データに応じた画像を記録するラインヘッドと、
上記ラインヘッドを副走査方向に駆動させるラインヘッド駆動装置とを具備し、
上記ラインヘッド駆動装置が、
上記ラインヘッドの一端側に配備された副走査方向に延びるリードスクリューと、
上記リードスクリューを回転させるモータと、
上記ラインヘッドの、上記リードスクリューが配設された側の端部に固定され、前記リードスクリューに弾性的に押接してそのリードスクリューの駆動力を該ラインヘッドに伝送するヘッドキーと、
上記ラインヘッドを間に挟んだ、上記リードスクリューとは反対側に配設されて上記副走査方向に延び、上記リードスクリューによる駆動を受けて移動するラインヘッドを案内する第１のガイドシャフトと、
上記ラインヘッドに対し、上記リードスクリューが配設された側と同一の側に配設され、そのリードスクリューに駆動を受けて移動するラインヘッドを案内する第２のガイドシャフトとを備えたものであることを特徴とする。
【００１０】
本発明のプリンタによれば、回転運動（フリコ運動）をしようとする上記ラインヘッドに対し、回転中心に近いとことろにその回転を抑制する上記第２のガイドシャフトを追加することにより上記ラインヘッドと上記リードスクリューとの間の摺動抵抗を小さく、またフリコ運動によるそのラインヘッドの変動を抑制することができる。そうすると、副走査方向に上記ラインヘッドが安定して移動し、副走査方向での濃度むらが生じない。
【００１１】
ここで、上記媒体装填室に装填された記録媒体に対し、上記リードスクリューと上記第１のガイドシャフトは、相互にほぼ同一の高さでその記録媒体に近い位置に配設されるとともに、上記第２のガイドシャフトは上記第１のガイドシャフトと相互に異なる高さ位置に配設され上記リードスクリューに対し記録媒体より離れて配設されたものであることが好ましい。
【００１２】
このように上記リードスクリューと相互にほぼ同一の高さで上記記録媒体に近い位置に、かつそのリードスクリューとは反対の側に配設された第１のガイドシャフトによってラインヘッドが水平に副走査方向に安定して案内され、さらにその第１のガイドシャフトとは相互に異なる高さで上記リードスクリューに対し上記記録媒体から離れた位置に配設された第２のガイドシャフトによってラインヘッドの回転方向の変動（フリコ運動）が抑制される。このように、上記リードスクリューを記録媒体に近い位置に配設すると、筐体の高さ方向に対し、その記録媒体とは反対の側、つまり記録媒体の搬出を妨害することのない位置に上記モータを配設することができる。その結果、プリンタの高さ方向の小型化を図れる。
【００１３】
さらに上記ヘッドキーは、上記リードスクリューに対する樹脂製のネジ部と、そのネジ部に一体的に形成されたそのネジ部を支えるとともにそのネジ部を弾性的に上記リードスクリューに押接する金属製の板バネとを備えたものであることが好ましく、上記ネジ部は、上記リードスクリューとの螺合部がリードスクリューの溝の両面に接触する形状のものであることが望ましい。
【００１４】
このようにリードスクリューに螺合するネジ部を樹脂製にすることで上記螺合部の摺動抵抗が小さくなる。さらにネジ部をリードスクリューの溝の両面に接触させることにより外的に負荷が加えられてもネジ部がリードスクリューの溝から逃げることがなくなり、外的な負荷に対して強くなる。
【００１５】
上記ヘッド装置は、ラインヘッドを持つものであればどのようなプリンタにも適用可能であり、インスタントフィルムが媒体装填室に装填されるプリンタにも適用される。
【００１６】
【発明の実施の形態】
以下、本発明の実施形態を説明する。
【００１７】
図１は本発明の実施形態であるプリンタを、斜め前方から見た斜視図である。
【００１８】
本実施形態のプリンタの構成を、図１を参照して説明する。
【００１９】
このプリンタ１は可搬型であって携帯電話とこのプリンタ双方を手に持って画像の記録を行なうことが可能な程度の小型かつ軽量の構造を有するものである。このプリンタ１の筐体１ａ内にインスタントフィルムパックが装填され、そのインスタントフィルムパック内の、積層された多数のインスタントフィルムシート一枚一枚に画像の記録が行なわれる。
【００２０】
プリンタ１の筐体１ａの上面には、このプリンタ１の電源の投入および遮断を指示する電源スイッチ（以下電源ＳＷという）１１やプリントスイッチ（以下プリントＳＷという）１２やプリントデータ補正スイッチ（以下プリントデータ補正ＳＷという）１３が設けられている。また、中央には、ＬＣＤパネル１４が設けられており、このＬＣＤパネル１４上にインスタンフィルムシートの残り枚数やプリントデータ補正ＳＷ１３の内容が表示される。また、前述した赤外線通信により送信されてきた画像データを受信する受光素子１５が携帯電話をこのプリンタに対向させ易い位置、ここでは筐体１ａの端部に配備されている。なお、この図１には図示してはいないが、このプリンタ１はＵＳＢポートも持っている。
【００２１】
プリントＳＷ１２は、記録媒体への画像の記録が終了した後、その記録が終了した画像と同じ画像を再記録する場合に操作されるものである。また、プリントデータ補正ＳＷ１３は、記録媒体に記録される画像の濃淡（Ｄａｒｋ  ｏｒ  Ｌｉｇｈｔ）を調節するためのスイッチであり、このプリントデータ補正ＳＷ１３がＤＡＲＫ側に切り換えられるとその画像データに基づく画像の全体のトーンがやや暗くなった画像がインスタントフィルムシート上に記録され、ＬＩＧＨＴ側に切り換えられると全体のトーンがやや明るくなった画像がインスタントフィルムシート上に記録される。このプリントデータ補正ＳＷ１３が操作された後、ユーザによってプリントＳＷ１２が操作されると、同じ構図の写真でありながら異なった趣の写真が得られる。
【００２２】
図２は後述するラインヘッドによってそのインスタントフィルムシート上に潜像の記録が行なわれた後、そのインスタンフィルム１００１上の潜像が顕像化されながら、このプリンタの排出口からインスタントフィルム１００１が排出されているときの状態を示す図である。
【００２３】
このプリンタでは、赤外線通信、またはＵＳＢ通信により外部から送信されてきた画像データをこのプリンタにより取得したら、その取得した画像データに基づく潜像の記録が露光によりインスタントフィルム上に行なわれ、図２に示すようにその潜像が記録されたインスタントフィルム１００１が顕像化されながら、プリンタ１外部へ排出される。その後プリントＳＷ１２が操作されたときにも、その画像と同じ画像の再記録が別のインスタントフィルム上に行なわれ、図２に示すようにインスタントフィルム１００１が排出される。
【００２４】
図３は、このプリンタ１の下面を斜め上方から見た斜視図である。
【００２５】
このプリンタ１の下面側にはフィルムパック１００を装填するためのフィルムドア１０１ａが設けられており、このフィルムドア１０１ａが開けられ、フィルムパック１００がフィルム装填室１００ａに装填される。このフィルム装填室が本発明にいう媒体装填室に当たる。
【００２６】
また、このプリンタ１の電源となる電池１０が装填される電池装填室１０ａもそのフィルム装填室１００ａの隣にある。この電池装填室１０ａにもドアが設けられており、そのドアが開けられ、電池１ｂが装填される。
【００２７】
フィルムドアの内側１０１ａにはバネ部材１０１１ａ，１０１２ａが２つ設けられており、これらのバネ部材１０１１ａ，１０１２ａによってフィルムパック１００内に積層されたインスタントフィルムシートがプリンタ１上面側に押されるようになっている。このような構成によってそのインスタントフィルムパック１００内のインスタントフィルムシートのうち、プリンタの一番上面側にあるインスタントフィルムシート１００１が排出口１１ａに近い位置にまで押し上げられ、その位置に押し上げられたインスタントフィルムシート上に焦点のあった光点が露光により多数記録される。
【００２８】
このようなプリンタ１の内部構成を説明する。
【００２９】
図４は、このプリンタ１の上面側のカバーを外してプリンタ内部を見た図である。
【００３０】
図４に示すように、媒体装填室に装填されたき記録媒体上に向き合う位置に配備されて所定の主走査方向に延び、その主走査方向に交わる副走査方向への駆動を受けながら記録媒体に画像データに応じた画像を記録するラインヘッドと、そのラインヘッドを副走査方向に駆動させるラインヘッド駆動装置とが配備されている。
【００３１】
このヘッド駆動装置により駆動されるラインヘッド１６にはフラットケーブル１７０が接続されており、このフラットケーブル１７０を介して後述する印刷制御部から画像データに応じた制御信号が供給される。この制御信号はラインヘッド１６内の後述する液晶シャッタアレイの各シャッタのシャッタスピードを制御するものである。この各液晶シャッタのシャッタスピードが画像データに応じて制御され、ＲＧＢそれぞれに対応する光がインスタントフィルム上に照射され、インスタントフィルムの幅方向に４８０個の光点（ドット）からなる潜像が記録される。以降の説明においてはこの幅方向つまり一次元的に各シャッタが配列されている方向を、主走査方向という。したがってこの各シャッタが主走査方向に電子的に走査されて１ライン分の４８０の光点がインスタントフィルムシート１００１上に記録される。このラインヘッド１６の電子走査によってインスタントフィルム１００１の主走査方向に４８０ドットからなる光点が記録されたら、後述する印刷制御部からの制御信号に基づいて、モータ１６２ａが駆動されてリードスクリュー１６１ａが所定の角度回転して、今度はその主走査方向と交わる方向にラインヘッド１６によって４８０ドットずつ光点が順次記録されていく。以降の説明ではこの主走査方向と交わる方向を副走査方向という。この副走査方向には、ラインヘッドの１回の主走査で記録される光点４８０ドット分を１ラインとしてヘッド駆動装置によりラインヘッドが副走査方向に駆動され、６４０ラインの光点がインスタンフィルム全体に渡って記録される。
【００３２】
この光点の集まりによって画像を表わす潜像が記録されたら、展開ローラ１７によりインスタントフィルムシート１００１を挟み込んでインスタントフィルム内の現像剤をインスタントフィルムシート１００１全体に展開させ、潜像を顕像化させプリンタ外部へと送り出す。このインスタントフィルムシート１００１は自己現像処理型感光材料であり、インスタントフィルム１００１が展開ローラ１７で挟み込まれるとインスタントフィルム内に充填されていた現像剤がインスタントフィルムシート全体に均一に展開され、フィルムシート上の潜像が顕像化されるものである。このようにヘッドキーと、そのヘッドキーに螺合するリードスクリューとを備えるヘッド駆動装置によってラインヘッドが副走査方向に駆動され、インスタントフィルム上に潜像が記録される。
【００３３】
ここでラインヘッド１６の構成を、図５を参照して説明しておく。
【００３４】
図５はラインヘッドの構成を示す模式図である。
【００３５】
この図５には導光板１６４の端部に配設された発光素子１６３Ｒ，１６３Ｇ，１６３Ｂの配列順序と、インスタントフィルム上に光点となって照射されるＲ、Ｇ、Ｂの光の進行方向が矢印によって模式的に示されている。
【００３６】
図５に示すように、このラインヘッド１６は光の３原色であるＲ，Ｇ，Ｂそれぞれの発光素子１６３Ｒ，１６３Ｇ，１６３Ｂと、導光板１６４と、前述した液晶シャッタアレイ１６５と、レンズ１６６とからなる。
【００３７】
ここでは発光素子アレイを用いずに、発光素子それぞれから発光された光を導光板により線状の光に変換して、インスタントフィルムに照射させている。この線状の光を４８０のシャッタを持つ液晶シャッタアレイによりインスタントフィルム上の記録密度に対応する複数の光束に分解して、セルフォックレンズによって各光を光点としてインスタントフィルム上にそれぞれ収束させている。この導光板内の光の伝送特性については、補正テーブルを設けて補正し、主走査方向に濃度のむらがでないようにしている。
【００３８】
図５の模式図を参照して、インスタントフィルムへの光の照射がどのように行なわれるかを説明する。
【００３９】
図５に示すように、３原色の発光素子１６３Ｒ，１６３Ｇ，１６３Ｂそれぞれが導光板１６４の端部に配設されており、それらの発光素子で発光された光がその導光板１６４によってインスタントフィルム１００１側に導かれる。
【００４０】
この導光板１６４によって線状光となった光がインスタントフィルムシート１００１側に導かれ、インスタントフィルムシート１００１上に照射される。この照射された光は液晶シャッタアレイ１６５の各シャッタを通って４８０の光束に分解され、その先にあるセルフォックレンズ（登録商標）１６６を通ってインスタンフィルム１００１まで達する。このように液晶シャッタアレイ１６５の各シャッタによって光量が調節された光束が、セルフォックレンズによってインスタントフィルム上に収束されて焦点のあった光点がインスタントフィルム上に多数記録される。ここでは４８０素子の液晶シャッタアレイを用いて画像データに応じて各シャッタのシャッタスピードを制御することで画像データに応じた階調を持つ４８０の光点がインスタントフィルム上に記録される。これが副走査方向にも６４０ライン分記録され、４８０×６４０（ＶＧＡサイズ）の光点がインスタントフィルム上に潜像として記録される。この潜像は、Ｒ，Ｇ，Ｂの３色の光をレンズ１６６によって同一の光点に記録させたカラー画像を表わす潜像である。
【００４１】
ここでこのラインヘッドを駆動するヘッド駆動装置の構成を図４から抜き出して詳細に説明する。
【００４２】
図６は図４のヘッド駆動装置の構成を抜き出して示した図である。
【００４３】
図６に示すようにこのラインヘッド駆動装置は、ラインヘッド１６の一端側に配備された副走査方向に延びるリードスクリュー１６１ａと、そのリードスクリュー１６１ａを回転させるモータ１６２ａと、そのラインヘッド１６の、リードスクリュー１６１ａが配設された側の端部に固定され、リードスクリュー１６１ａに弾性的に押接してそのリードスクリュー１６１ａの駆動力をラインヘッド１６に伝送するヘッドキー１６１と、ラインヘッド１６を間に挟んだ、リードスクリュー１６１ａとは反対側に配設されて副走査方向に延び、リードスクリュー１６１ａによる駆動を受けて移動するラインヘッド１６を案内する第１のガイドシャフト１６１１ａと、そのラインヘッド１６に対し、そのリードスクリュー１６１ａが配設された側と同一の側に配設され、そのリードスクリュー１６１ａの駆動を受けて移動するラインヘッド１６を案内する第２のガイドシャフト１６１２ａとを備えたものである。
【００４４】
図６に示すように、第１のガイドシャフトに加え、第２のガイドシャフトが追加されている。
【００４５】
図７はラインヘッド１６と、第１のガイドシャフト１６１１ａ、第２のガイドシャフト１６１２ａの係わりを示す図である。
【００４６】
図７に示すように、リードスクリュー１６１ａと第１のガイドシャフト１６１１ａは、相互にほぼ同一の高さ位置に配設されるとともに、第１のガイドシャフト１６１１ａと第２のガイドシャフト１６１２ａは相互に異なる高さ位置に配設されている。この第２のガイドシャフト１６１２ａに対し、リードスクリューは記録媒体（図７の下方に位置する）に近い位置に配設されている。また、図６に示すようにリードスクリュー１６１ａに回転力を伝えるモータ１６２ａは、その記録媒体側とは反対の側に配設されている。このようにしておくと、記録媒体の搬出経路外にモータを配設することができる。
【００４７】
図８はヘッドキーとリードスクリューの係わりを示す図であり、図９はヘッドキーとリードスクリューだけを抜き出し示した図である。
【００４８】
図９に示すように、ヘッドキー１６１がリードスクリュー１６１ａに弾性的に押接して螺合されている。このヘッドキー１６１がリードスクリュー１６１ａの回転を受けてリードスクリューの螺旋状の溝に沿って移動することにより、ヘッドキー１６１とともにラインヘッド１６が図９の上方または下方に移動する。
【００４９】
図９に示すように、このヘッドキー１６１は、リードスクリュー１６１ａに対する樹脂製のネジ部１６１３と、そのネジ部１６１３に一体的に形成されたネジ部１６１３を支えるとともにそのネジ部１６１３を弾性的にそのリードスクリュー１６１ａに押設する金属製の板バネ１６１４とを備えたものである。この板バネ１６１４には、２つの孔１６１４ａ，１６１４ｂが設けられており、これらの孔１６１４ａ，１６１４ｂにネジが挿通され、このヘッドキー１６１がラインヘッド１６に固定される。図８には、２つ並んだ孔１６１４ａ，１６１４ｂにネジが螺入され、板バネ１６１４がラインヘッド１６に固定された後の状態が示されている。
【００５０】
また、その板バネ１６１４の先端部にあるネジ部１６１３は、リードスクリュー１６１ａに螺合する樹脂製のネジ部１６１３であり、この樹脂製のネジ部１６１３がリードスクリュー１６１ａに押接されている。その樹脂製のネジ部１６１３には並んで３つのネジ１６１３ａ〜１６１３ｃが切られており、この３つのネジ１６１３ａ〜１６１３ｃがリードスクリュー１６１ａの溝に弾性的に螺合することによって、リードスクリュー１６１ａの回転がラインヘッド１６に伝送される。つまり、ヘッドキー１６１はリードスクリュー１６１ａのネジに螺合しながら第１のガイドシャフト１６１１ａ、第２のガイドシャフト１６１２ａによって案内されて副走査方向に安定して動く。
【００５１】
図１０は、ヘッドキーのネジ部とリードスクリューの螺合部の構成を示す図で、図１１は、そのネジ部とリードスクリューの螺合部の断面を示す断面図である。
【００５２】
図１０、図１１に示すようにヘッドキーの３つのネジ１６１３ａ〜１６１３ｃの形状は、リードスクリューの螺旋状の溝の両面１６１０ａ〜１６１０ｃに接触する形状になっている。このようにネジをリードスクリューの溝の両面１６１０ａ〜１６１０ｃに接触させておくと、外的に負荷が加えられても、ヘッドキーのネジ部１６１３がそのリードスクリューの螺旋状の溝から逃げるといったことがなくなる。また、ヘッドキー１６１を板バネ構造にすることによって弾性力を持たせ、さらにその弾性力によって押接されるネジの先端部側には空間部Ａを持たせてあるので摺動抵抗は小さくなる。
【００５３】
このように第１のガイドシャフト１６１２ａのみだとラインヘッドがフリコ運動するのに対し、第２のガイドシャフトを入れることによりラインヘッドが安定して動く。また、ヘッドキーがリードスクリューの溝の両面に接触する構造であるため、リードスクリューの負荷変動があった場合にもラインヘッドを安定して送ることができる。
【００５４】
このようなラインヘッド駆動装置によりラインヘッドが駆動され、潜像がインスタントフィルム上に記録され、展開モータにより現像剤を展開させながらその潜像が記録されたインスタントフィルムを排出させることで、濃度むらのない写真が得られる。
【００５５】
【発明の効果】
以上、説明したように、本発明のカメラによれば、ラインヘッドの副走査方向への移動を安定して行なわせることができるラインヘッド駆動部を備えたプリンタを提供することができる。
【図面の簡単な説明】
【図１】本発明の実施形態であるプリンタを斜め上方から見た斜視図である。
【図２】プリンタ内部に装填されたインスタントフィルムがプリンタ外部に排出されるときの状態を示す図である。
【図３】本発明の実施形態であるプリンタの下面を斜め上方から見た斜視図である。
【図４】図１のプリンタの上面カバーを取り外し、前方斜め上方からそのプリンタ内部を見た図である。
【図５】図４に示したラインヘッドのヘッドキーの部分を示す図である。
【図６】図４に示した光学ヘッドの構成を示す模式図である。
【図７】ヘッド駆動装置の構成を示す図である。
【図８】ヘッドキーとリードスクリューの係わりの部分を示す図である。
【図９】ヘッドキーのネジ部とリードスクリューを抜き出し、示した図である。
【図１０】ヘッドキーのネジ部とリードスクリューの螺合部の構成を示す拡大図である。
【図１１】ヘッドキーのネジ部とリードスクリューの螺合部の断面図である。
【符号の説明】
１  プリンタ
１ａ  筐体
１０ａ  電池装填室
１ｂ  電池
１００ａ    フィルム装填室
１０１ａ    フィルムドア
１０１１ａ  １０１２ａ    バネ部材
１００    インスタントフィルムパック
１００１    インスタントフィルムシート
１０    各種スイッチ
１１    電源ＳＷ
１２    プリントＳＷ
１３    プリントデータ補正ＳＷ
１４    ＬＣＤパネル
１５    受光部
１６    光学ヘッド
１６１    ヘッドキー
１６１３    ネジ部
１６１４    板バネ
１６１ａ    リードスクリュー
１６１１ａ    第１のガイド棒
１６１２ａ    第２のガイド棒
１６２ａ    ステッピングモータ
１６２１ａ    ステッピングモータドライバ
１６３Ｒ  １６３Ｇ  １６３Ｂ    発光素子
１６４    導光板
１６５    液晶シャッタアレイ
１６６    セルフォックレンズ（登録商標）
１７    展開モータ
１７ｂ    展開ローラ
【図１】
2005014564.tif 000003
【図２】
2005014564.tif 000004
【図３】
2005014564.tif 000005
【図４】
2005014564.tif 000006
【図５】
2005014564.tif 000007
【図６】
2005014564.tif 000008
【図７】
2005014564.tif 000009
【図８】
2005014564.tif 000010
【図９】
2005014564.tif 000011
【図１０】
2005014564.tif 000012
【図１１】
2005014564.tif 000013